(57)【要約】【課題】輸液チューブにおけるポンプ機構によって押圧される部分を変えても煩雑な作業を要することなく、フリーフローを防止できるようにする。【解決手段】ドア２０の外面にローラークランプ１０５が装着されるようになっている。制御装置は、ローラークランプ１０５が輸液チューブ１０２を閉塞した状態にないことを検出した場合には、ロック装置２３をロック状態にする。制御装置は、ローラークランプ１０５が輸液チューブ１０２を閉塞した状態にあることを検出した場合には、ロック装置２３をロック解除状態とする。【選択図】図１１
2017077346.tif 000002
【特許請求の範囲】
【請求項１】
輸液チューブを押圧することによって該輸液チューブ内の薬液を所定流量で送るポンプ機構と、
上記ポンプ機構が配設される本体部と、
上記本体部に取り付けられ、上記輸液チューブにおける上記ポンプ機構に配置された部分を覆う閉位置と、該輸液チューブにおける上記ポンプ機構に配置された部分を露出させる開位置とに切り替えられる開閉体と、
上記開閉体を閉位置でロックするためのロック装置とを備えた輸液ポンプにおいて、
上記開閉体の外面に設けられ、上記輸液チューブのローラークランプが装着される装着部と、
上記ローラークランプが上記輸液チューブを閉塞した状態にあるか否かを検出する閉塞状態検出部と、
上記ロック装置を制御する制御部とを備え、
上記制御部は、上記閉塞状態検出部により上記ローラークランプが上記輸液チューブを閉塞した状態にないことを検出した場合には、上記ロック装置をロック状態にする一方、上記閉塞状態検出部により上記ローラークランプが上記輸液チューブを閉塞した状態にあることを検出した場合には、上記ロック装置をロック解除状態にするように構成されていることを特徴とする輸液ポンプ。
【請求項２】
請求項１に記載の輸液ポンプにおいて、
上記装着部は、上記開閉体の外面に形成され、上記ローラークランプが嵌合する嵌合凹部で構成されており、
上記嵌合凹部は、上記ローラークランプが有するローラーが上記輸液チューブを閉塞する位置にあるときにのみ該ローラークランプが嵌合するように形成されていることを特徴とする輸液ポンプ。
【請求項３】
請求項２に記載の輸液ポンプにおいて、
上記嵌合凹部は、該嵌合凹部に嵌合した上記ローラークランプの一部を上記開閉体の外面から突出させるように形成されていることを特徴とする輸液ポンプ。
【請求項４】
請求項１から３のいずれか１つに記載の輸液ポンプにおいて、
上記輸液ポンプには、上記輸液チューブが上記輸液ポンプに装着されているか否かを検出するチューブ検出部が設けられ、
上記制御部は、上記チューブ検出部によって上記輸液チューブが上記輸液ポンプに装着されていないことを検出した場合には、上記閉塞状態検出部の検出結果に関わらず、上記ロック装置をロック解除状態とするように構成されていることを特徴とする輸液ポンプ。
【発明の詳細な説明】
【技術分野】
【０００１】
本発明は、薬液を所定流量で送る輸液ポンプに関するものであり、特にフリーフローを防止する構造の技術分野に属する。
【背景技術】
【０００２】
一般に、薬液を患者に投与する輸液治療を行う際には、薬液を予め設定した所定流量となるように送る輸液ポンプが使用されることがある。輸液ポンプは、チューブを押圧することによって薬液を送るように構成されたポンプ機構を備えた本体部と、ポンプ機構に配置された輸液チューブを覆うように設けられたドアとを備えている。使用前に、ドアを開放状態にしてから輸液チューブをポンプ機構に配置してドアを閉じ、その後、ポンプ機構を作動させることによって薬液の投与が開始される。一方、薬液の投与が終了したり、投与を中断する場合には、ドアを開放状態にしてから輸液チューブを外すことができるようになっている（特許文献１〜３参照）。
【０００３】
また、輸液セットは、薬液を貯留した輸液バッグ及び輸液バッグから延びる輸液チューブの他、輸液チューブの先端部に設けられた穿刺針を有している。そして、輸液バッグは穿刺針よりも高い所に位置するので、クレンメを開放状態にしていると、輸液バッグ内の薬液が自重によって穿刺針に流れ込み、患者に投与されることになる。輸液ポンプは、この薬液の流量を所定流量にするために使用されるものであるが、不意にドアを開放して輸液チューブをポンプ機構から外すと、輸液チューブを閉塞していない場合には輸液バッグ内の薬液が流量制御されることなく、患者に投与されるフリーフローが起こり得る。
【０００４】
特許文献１〜３の輸液ポンプでは、このような問題に鑑みて、フリーフローを防止するための構造が採用されている。特許文献１の輸液ポンプは、輸液チューブを閉塞状態に維持するためのフリーフロー抑止クリップを当該輸液チューブに設けている。閉塞状態のフリーフロー抑止クリップを装着した状態でドアを閉じると、ドア側に設けられた部材によってフリーフロー抑止クリップが開放状態になり、輸液が可能となるように構成されている。
【０００５】
特許文献２の輸液ポンプは、ローラークランプを保持するためのローラークランプ保持部が本体部に設けられており、ドアを閉じた状態で、ローラークランプ保持部に保持されたローラークランプが外部に露出するようになっている。そして、ローラークランプのローラーの位置が輸液チューブを閉塞する位置にあるときにはフリーフローが起こる恐れがないのでドアの開放を許容する一方、ローラークランプのローラーの位置が輸液チューブを開放する状態にあるときにはフリーフローが起こる恐れがあるのでドアをロックして開かないようにしている。
【０００６】
特許文献３の輸液ポンプは、輸液チューブ及びローラークランプを本体部に保持し、ローラークランプにより輸液チューブが開放されている状態でドアを開けた場合には、その旨が使用者に報知されるようになっている。
【０００７】
また、一般に、輸液ポンプの使用時には、長時間に亘って輸液チューブの同一箇所をポンプ機構によって押圧するのは当該箇所の劣化を招き、好ましくないので、輸液チューブにおけるポンプ機構によって押圧される部分を定期的に変えることが行われている。
【先行技術文献】
【特許文献】
【０００８】
【特許文献１】特開２０１１−２１２１１２号公報
【特許文献２】特開２０１２−２４５１１１号公報
【特許文献３】特許第４６８０６４９号公報
【発明の概要】
【発明が解決しようとする課題】
【０００９】
フリーフローを防止するために上述したように様々な構造があるが、それぞれ以下のような問題がある。
【００１０】
特許文献１では、フリーフロー抑止クリップを輸液チューブに設けなければならないので、その分、部品点数が増加するとともに、フリーフロー抑止クリップを輸液チューブに装着する作業が必要になり、作業が煩雑である。
【００１１】
特許文献２では、ローラークランプ保持部とポンプ機構とが上下方向に並ぶように配置されているので、輸液チューブにおけるポンプ機構によって押圧される部分を定期的に変えようとした場合、ローラークランプの位置も輸液チューブの長手方向にずらして変更する必要がある。ローラークランプの位置を変更する際には、ローラークランプを一旦開放状態にしてから再度閉塞状態にしなければならず、作業が煩雑であるとともに、このときにフリーフローが起こらないように注意する必要もある。
【００１２】
特許文献３では、輸液チューブとローラークランプとを一緒に本体部に保持するようしているので、特許文献２と同様に、輸液チューブにおけるポンプ機構によって押圧される部分を定期的に変えようとした場合、ローラークランプの位置も輸液チューブの長手方向にずらして変更する必要があるので作業が煩雑であるとともに、このときにフリーフローが起こらないように注意する必要もある。
【００１３】
本発明は、かかる点に鑑みてなされたものであり、その目的とするところは、輸液チューブにおけるポンプ機構によって押圧される部分を変えても煩雑な作業を要することなく、しかも部品点数を少なくした上で、フリーフローを防止できるようにすることにある。
【課題を解決するための手段】
【００１４】
上記目的を達成するために、本発明では、ローラークランプを開閉体の外部に装着し、ローラークランプが輸液チューブを閉塞した状態にあるか否かを検出し、輸液チューブを閉塞した状態にあることを検出した場合には、開閉体のロックを解除するようにした。
【００１５】
第１の発明は、
輸液チューブを押圧することによって該輸液チューブ内の薬液を所定流量で送るポンプ機構と、
上記ポンプ機構が配設される本体部と、
上記本体部に取り付けられ、上記輸液チューブにおける上記ポンプ機構に配置された部分を覆う閉位置と、該輸液チューブにおける上記ポンプ機構に配置された部分を露出させる開位置とに切り替えられる開閉体と、
上記開閉体を閉位置でロックするためのロック装置とを備えた輸液ポンプにおいて、
上記開閉体の外面に設けられ、上記輸液チューブのローラークランプが装着される装着部と、
上記ローラークランプが上記輸液チューブを閉塞した状態にあるか否かを検出する閉塞状態検出部と、
上記ロック装置を制御する制御部とを備え、
上記制御部は、上記閉塞状態検出部により上記ローラークランプが上記輸液チューブを閉塞した状態にないことを検出した場合には、上記ロック装置をロック状態にする一方、上記閉塞状態検出部により上記ローラークランプが上記輸液チューブを閉塞した状態にあることを検出した場合には、上記ロック装置をロック解除状態にするように構成されていることを特徴とする。
【００１６】
この構成によれば、輸液チューブをポンプ機構に配置して開閉体を閉位置にすると、開閉体によって輸液チューブにおけるポンプ機構に配置された部分が覆われるので、輸液チューブが輸液ポンプから外れることはなく、ポンプ機構によって輸液チューブが押圧されて該輸液チューブ内の薬液を所定流量で送ることが可能になる。
【００１７】
何らかの理由によって開閉体を開位置にしようとしたとき、ローラークランプが輸液チューブを閉塞していない場合には、閉塞状態検出部によってそのことが検出されるので、制御部はロック装置をロック状態にし、開閉体を開位置にすることができなくなる。これにより、輸液チューブが外れないのでフリーフローが防止される。一方、ローラークランプが輸液チューブを閉塞している場合には、制御部はロック装置をロック解除状態にするので、開閉体を開位置にして輸液チューブを外すことが可能になる。
【００１８】
ローラークランプが開閉体の外部の装着部に装着されるものであることから、輸液チューブは、ポンプ機構によって押圧される部分から開閉体の外部に延びた後、その外部において装着部に保持されることになる。つまり、輸液チューブにおけるポンプ機構によって押圧される部分と、輸液チューブにおけるローラークランプが配置される部分との間は、輸液ポンプに保持されない部分、いわゆるフリーな部分になる。
【００１９】
したがって、例えば輸液チューブにおけるポンプ機構によって押圧される部分を定期的に変えようとする場合に、輸液チューブにおけるポンプ機構によって押圧される部分と、輸液チューブにおけるローラークランプが配置される部分との間が長くなっても、その長くなった部分は開閉体の外部でフリーな状態にしておけばよく、ローラークランプの位置をその都度変更する必要はない。また、特許文献１のフリーフロー抑止クリップは不要になる。
【００２０】
第２の発明は、第１の発明において、
上記装着部は、上記開閉体の外面に形成され、上記ローラークランプが嵌合する嵌合凹部で構成されており、
上記嵌合凹部は、上記ローラークランプが有するローラーが上記輸液チューブを閉塞する位置にあるときにのみ該ローラークランプが嵌合するように形成されていることを特徴とする。
【００２１】
この構成によれば、ローラークランプのローラーが輸液チューブを閉塞しない位置にあるときには、ローラークランプが嵌合凹部に嵌合しないので、輸液チューブが開放状態にあることを使用者に認識させることが可能になる。
【００２２】
第３の発明は、第２の発明において、
上記嵌合凹部は、該嵌合凹部に嵌合した上記ローラークランプの一部を上記開閉体の外面から突出させるように形成されていることを特徴とする。
【００２３】
この構成によれば、嵌合凹部にローラークランプを嵌合させた状態で、ローラークランプの一部が開閉体の外面から突出しているので、ローラークランプを嵌合凹部から外すときに、その突出した部分を掴むことで容易に外すことが可能になる。
【００２４】
第４の発明は、第１から３のいずれか１つの発明において、
上記輸液ポンプには、上記輸液チューブが上記輸液ポンプに装着されているか否かを検出するチューブ検出部が設けられ、
上記制御部は、上記チューブ検出部によって上記輸液チューブが上記輸液ポンプに装着されていないことを検出した場合には、上記閉塞状態検出部の検出結果に関わらず、上記ロック装置をロック解除状態とするように構成されていることを特徴とする。
【００２５】
この構成によれば、輸液チューブが輸液ポンプに装着されていない場合には、輸液が行われていない状況であると推定でき、このときにはフリーフロー自体が起こらない。この場合に開閉体のロックを解除しておくので、ロック装置が開閉体の開閉動作に支障をきたさないようにすることが可能になる。
【発明の効果】
【００２６】
第１の発明によれば、輸液チューブに設けられたローラークランプが装着される装着部を開閉体の外部に設け、ローラークランプが輸液チューブを閉塞した状態にないことを検出した場合には開閉体をロックする一方、ローラークランプが輸液チューブを閉塞した状態にある場合には開閉体のロックを解除するようにしたので、輸液チューブにおけるポンプ機構によって押圧される部分を変えても煩雑な作業を要することなく、また、部品点数の増加を招くことなく、フリーフローを防止できる。
【００２７】
第２の発明によれば、ローラークランプのローラーが輸液チューブを閉塞する位置にあるときにのみ該ローラークランプが嵌合凹部に嵌合するようになっているので、ローラークランプのローラーが輸液チューブを閉塞しない位置にあることを使用者に認識させることができる。
【００２８】
第３の発明によれば、嵌合凹部に嵌合したローラークランプの一部を開閉体の外面から突出させるようにしたので、ローラークランプを嵌合凹部から容易に外すことができる。
【００２９】
第４の発明によれば、輸液チューブが輸液ポンプに装着されていないことを検出した場合に、閉塞状態検出部の検出結果に関わらず、ロック解除状態にするので、輸液が行われていないときに開閉体の開閉動作を自由に行うことができる。
【図面の簡単な説明】
【００３０】
【図１】実施形態に係る輸液ポンプを下方から見た斜視図である。
【図２】輸液セットの概略図である。
【図３】ドアを開位置にした状態の図１相当図である。
【図４】ロック状態あるロック装置及び開閉レバーを模式的に示す正面図である。
【図５】ロック状態あるロック装置及び開閉レバーを模式的に示す側面図である。
【図６】ロック解除状態あるロック装置及び開閉レバーを模式的に示す正面図である。
【図７】ロック解除状態あるロック装置及び開閉レバーを模式的に示す側面図である。
【図８】ロック状態にある輸液ポンプのブロック図である。
【図９】ロック解除状態にある輸液ポンプのブロック図である。
【図１０】ローラークランプを嵌合凹部に嵌合した状態のブロック図である。
【図１１】ローラークランプを嵌合凹部に嵌合した状態の図１相当図である。
【発明を実施するための形態】
【００３１】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００３２】
図１は、本発明の実施形態に係る輸液ポンプ１を示すものである。輸液ポンプ１は、医療施設で輸液セット１００（図２に示す）を用いて輸液治療を行う際に使用されるものであり、本体部１０と、ドア（開閉体）２０とを備えている。この実施形態の説明では、輸液ポンプ１の説明の前に、輸液セット１００について説明する。
【００３３】
図２に示すように、輸液セット１００は、患者に投与する各種薬液が貯留された輸液バッグ１０１と、輸液バッグ１０１から延びる輸液チューブ１０２と、輸液チューブ１０２の中途部に設けられた点滴筒１０３と、輸液チューブ１０２の先端部に設けられた穿刺針１０４とを備えている。輸液チューブ１０２は、柔軟性を有し、かつ、弾性変形可能な周知の樹脂材で構成されている。輸液チューブ１０２における点滴筒１０３と穿刺針１０４との間には、ローラークランプ１０５が設けられている。ローラークランプ１０５は、クレンメとも呼ばれるものであり、従来から周知の構造のものであることから詳細な説明は省略するが、クランプ本体１０５ａと、ローラー１０５ｂとを備えている。クランプ本体１０５ａは、輸液チューブ１０２の長手方向に長い形状の２枚の側板部１０５ｃを有しており、これら側板部１０５ｃの間にローラー１０５ｂが配置されて該側板部１０５ｃの長手方向に転動するように該側板部１０５ｃに支持されている。図２において仮想線で示す位置にあるローラー１０５ｂは、輸液チューブ１０２を開放状態にしており、一方、実線で示す位置にあるローラー１０５ｂは、輸液チューブ１０２を閉塞状態にしている。閉塞状態では、ローラー１０５ｂの外周面が輸液チューブ１０２を強く押し潰している。
【００３４】
（本体部の構成）
図３に示すように、輸液ポンプ１の本体部１０の前面１１には、上下方向の略中央部近傍にポンプ機構１２が配設されている。ポンプ機構１２は、輸液チューブ１０２を押圧することによって輸液チューブ１０２内の薬液を所定流量で送ることができるように構成されている。このポンプ機構１２としては、例えばフィンガ式ポンプ機構等を用いることができ、具体的には、上記特許文献１〜３等に記載された構造のものを用いることができる。フィンガ式ポンプ機構以外のポンプ機構を本実施形態のポンプ機構１２として用いてもよい。
【００３５】
本体部１０の前面１１には、輸液チューブ１０２が嵌まるように形成されたチューブ嵌合溝１３が形成されている。チューブ嵌合溝１３は、本体部１０の左右方向の略中央部近傍において上下方向に延びている。チューブ嵌合溝１３の上端部は、本体部１０の上面において開放され、チューブ嵌合溝１３の下端部は、本体部１０の下面において開放されている。したがって、チューブ嵌合溝１３に嵌まった輸液チューブ１０２は、本体部１０の上面及び下面からそれぞれ延びることになる。チューブ嵌合溝１３の上下方向中間部に上記ポンプ機構１２が位置しており、従って、チューブ嵌合溝１３に嵌まった輸液チューブ１０２は、ポンプ機構１２に配置される。
【００３６】
尚、この実施形態の説明では、輸液ポンプ１の上下方向を図１及び図３の上下方向とし、輸液ポンプ１の左右方向を図１及び図３の左右方向としているが、輸液ポンプ１の使用時における姿勢は図１及び図３に示す姿勢でなくてもよく、例えば前面１１が略水平となる姿勢で使用することもできる。その場合、前面１１は本体部１０の上面となる。
【００３７】
また、本体部１０の前面１１には、フック１４が設けられている。フック１４は、図５に示すドア２０の開閉レバー２１に引っ掛かって係合するように構成されている。フック１４は、本体部１０の前面１１においてチューブ嵌合溝１３よりも右側に位置している。
【００３８】
本体部１０のチューブ嵌合溝１３の内部には、チューブセンサ（チューブ検出部）１５が設けられている。チューブセンサ１５は、輸液チューブ１０２がチューブ嵌合溝１３に嵌まった状態にあるか否か、即ち、輸液チューブ１０２が輸液ポンプ１に装着されているか否かを検出するためのセンサであり、具体的には、例えば赤外線等の照射によって対象物を検出するセンサ、近接センサ、リミットスイッチ等で構成することができる。
【００３９】
（ドアの構成）
次にドア２０の構成について説明する。ドア２０は、本体部１０の前面１１の略全体を前方から覆うことが可能な大きさに形成されている。ドア２０の左縁部は、本体部１０に対して上下方向に延びる回動軸を有するヒンジ（図示せず）を介して取り付けられており、該回動軸周りに回動することにより、輸液チューブ１０２におけるポンプ機構１２に配置された部分を覆う閉位置（図１に示す）と、輸液チューブ１０２におけるポンプ機構１２に配置された部分を露出させる開位置（図３に示す）とに切り変えられる。
【００４０】
尚、ドア２０は、輸液チューブ１０２におけるポンプ機構１２によって押圧される部分のみを覆う大きさであってもよい。また、ドア２０の開閉方向はどの方向であっても構わない。
【００４１】
ドア２０が閉位置にあるときに、ドア２０の内面は輸液チューブ１０２におけるポンプ機構１２に配置された部分を前方から押すように支持している。これにより、ポンプ機構１２の押圧力が逃げることなく輸液チューブ１０２に伝わって輸液チューブ１０２を十分に変形させることができる。
【００４２】
ドア２０には、開閉レバー２１が設けられている。開閉レバー２１は、上下方向に長い形状とされており、上端部が左右方向に延びる支軸２１ａによってドア２０に回動可能に支持されている。図５に示すように、開閉レバー２１の上下方向中間部には、本体部１０のフック１４に引っ掛かるように、本体部１０側へ突出する突出部２１ｂが設けられている。突出部２１ｂは、開閉レバー２１の裏面から本体部１０側へ突出した後、上方へ屈曲した形状となっており、図５に示すように、開閉レバー２１が上下方向に延びる姿勢とされているときには、開閉レバー２１の突出部２１ｂが本体部１０のフック１４に下方から引っ掛かって係合し、ドア２０が開方向に動かなくなる。一方、図７に示すように、開閉レバー２１が支軸２１ａの周りに回動して手前側に揺動した状態となったときには、開閉レバー２１の突出部２１ｂが本体部１０のフック１４から抜け出て、ドア２０が開方向に動くことが許容される。また、開閉レバー２１には、左右方向に貫通する貫通孔２１ｃが形成されている。
【００４３】
ドア２０には、ドア２０を閉位置でロックするためのロック装置２３が設けられている。ロック装置２３は、装置本体２３ａと、進退動作する可動部２３ｂとを有している。装置本体２３ａはドア２０に固定されている。可動部２３ｂは、装置本体２３ａにより、図４に示すように右に向けて進出した進出状態と、図６に示すように後退した後退状態とに切り替えられる。進出状態にある可動部２３ｂは、開閉レバー２１の貫通孔２１ｃに挿入される。これにより、開閉レバー２１を操作することができなくなるので、ドア２０が閉位置でロックされる。一方、後退状態にある可動部２３ｂは、開閉レバー２１の貫通孔２１ｃから抜けるので、開閉レバー２１を操作することが可能になる。尚、ロック装置２３は、例えば電磁アクチュエータや直動モーター等で構成することができる。
【００４４】
図１に示すように、ドア２０の外面には、輸液チューブ１０２に設けられたローラークランプ１０５が装着される装着部としての嵌合凹部２４が形成されている。嵌合凹部２４は、ドア２０の外面の下部において、輸液チューブ１０２が嵌まるチューブ嵌合溝１３から左右方向にずれた位置に配置されている。この実施形態では、嵌合凹部２４をチューブ嵌合溝１３から左側にずれた位置に配置しているが、右側にずれた位置に配置してもよい。
【００４５】
嵌合凹部２４は、ローラークランプ１０５が有するローラー１０５ｂが輸液チューブ１０２を閉塞する位置にあるときにのみ該ローラークランプ１０５を嵌合させることができるように形成されている（図１１参照）。すなわち、嵌合凹部２４は、正面視で、ローラークランプ１０５の側板部１０５ｃの形状と略一致するように、上側へ行くに従って幅が広くなるように形成されている。ドア２０の下部には、輸液チューブ１０２が挿入されるチューブ挿入溝２５が形成されており、このチューブ挿入溝２５は嵌合凹部２４と連続している。
【００４６】
嵌合凹部２４の下部には、ローラークランプ１０５を下方から支持する支持板部２６が設けられている。この支持板部２６によってローラークランプ１０５が支持されることで、ローラークランプ１０５の下方への移動が阻止される。
【００４７】
嵌合凹部２４の左縁部には、ローラークランプ１０５に係合する左側凸部２４ａが形成され、右縁部の上側には、ローラークランプ１０５に係合する右側凸部２４ｂが形成されている。また、嵌合凹部２４の右縁部の下側には、ローラー１０５ｂが挿入されるローラー挿入用凹部２４ｃが形成されている。ローラー挿入用凹部２４ｃを下側に形成していることで、ローラー１０５ｂが上に位置している状態、即ち、輸液チューブ１０２を開放状態にしている位置にあるときには、ローラークランプ１０５を嵌合凹部２４に嵌合させることができないようになっている。
【００４８】
また、嵌合凹部２４は、該嵌合凹部２４に嵌合したローラークランプ１０５の一部をドア２０の外面から突出させるように形成されている。すなわち、嵌合凹部２４の上下方向の寸法は、ローラークランプ１０５の長手方向の寸法よりも短く設定されていて、嵌合凹部２４には、ローラークランプ１０５の長手方向一側（図２に示す状態では下側）のみが嵌合し、ローラークランプ１０５の長手方向他側（図２に示す状態では上側）が嵌合凹部２４の上部から上方へ突出するようになっている。そして、嵌合凹部２４は、下に行くほど後に位置するように全体として傾斜しているので、ローラークランプ１０５の嵌合凹部２４から突出した部分は、ドア２０の前面から前方へ離れて配置されることになる。尚、嵌合凹部２４の形状や位置は変更することができる。
【００４９】
ドア２０には、上側クランプ検出センサ２８及び下側クランプ検出センサ２９が設けられている。上側クランプ検出センサ２８は、嵌合凹部２４の内面の上側に配置されており、嵌合凹部２４にローラークランプ１０５があるか否かを検出するセンサで構成されている。下側クランプ検出センサ２９は、嵌合凹部２４の内面の下側に配置されており、嵌合凹部２４にローラークランプ１０５があるか否かを検出するセンサで構成されている。上側クランプ検出センサ２８及び下側クランプ検出センサ２９としては、上記チューブセンサ１５と同様に各種センサを用いることができる。
【００５０】
嵌合凹部２４には、ローラークランプ１０５が輸液チューブ１０２を閉塞した状態になければ嵌合させることができないので、上側クランプ検出センサ２８及び下側クランプ検出センサ２９によってローラークランプ１０５が嵌合凹部２４にあるか否かを検出するということは、言い換えると、ローラークランプ１０５が輸液チューブ１０２を閉塞した状態にあるか否かを検出することである。つまり、上側クランプ検出センサ２８及び下側クランプ検出センサ２９は、本発明の閉塞状態検出部に相当する。尚、上側クランプ検出センサ２８及び下側クランプ検出センサ２９の一方を省略してもよい。
【００５１】
（制御装置の構成）
次に制御装置３０の構成について説明する。制御装置３０は、本発明の制御部に相当するものであり、本体部１０に内蔵するのが好ましいが、ドア２０に内蔵することもできる。尚、本体部１０には、図示しない電源装置が内蔵されており、この電源装置からポンプ機構１２や、チューブセンサ１５、ロック装置２３、上側クランプ検出センサ２８、下側クランプ検出センサ２９、制御装置３０に電力が供給されるようになっている。
【００５２】
図８等に示すように、制御装置３０には、チューブセンサ１５、ロック装置２３、上側クランプ検出センサ２８及び下側クランプ検出センサ２９が信号線を介して接続されており、チューブセンサ１５、上側クランプ検出センサ２８及び下側クランプ検出センサ２９の検出結果に基づいてロック装置２３を制御する。尚、図示しないが、ドア２０には薬液の流量調整や電源のＯＮ／ＯＦＦ切替等を行うための操作パネルが設けられており、この操作パネルの操作によって制御装置３０がポンプ機構１２も制御するように構成されている。
【００５３】
制御装置３０は、周知のマイクロコンピュータ等で構成されており、以下の制御を行う。図８に示すように、制御装置３０は、チューブセンサ１５がＯＮ、すなわち、輸液チューブ１０２が輸液ポンプ１に装着されていることが検出され、かつ、上側クランプ検出センサ２８及び下側クランプ検出センサ２９がＯＦＦ、すなわち、嵌合凹部２４にローラークランプ１０５が無いこと（ローラークランプ１０５が輸液チューブ１０２を閉塞した状態にないこと）が検出されると、可動部２３ｂを進出状態（ロック状態）とするようにロック装置２３を制御する。
【００５４】
また、制御装置３０は、ドア２０が開位置にあるときには、そのことを図示しないセンサ等で検出してロック装置２３をロック解除状態にしておくので、例えばプライミング作業時にはロック装置２３がロック解除状態になっている。そして、ドア２０を閉位置にしたときにチューブセンサ１５がＯＮであれば、ロック装置２３をロック解除状態にする。その後、投与条件等の設定を行うことができる。
【００５５】
また、図１０に示すように、制御装置３０は、チューブセンサ１５がＯＮで、かつ、上側クランプ検出センサ２８及び下側クランプ検出センサ２９がＯＮ、すなわち、嵌合凹部２４にローラークランプ１０５があること（ローラークランプ１０５が輸液チューブ１０２を閉塞した状態にあること）が検出されると、可動部２３ｂを後退状態（ロック解除状態）とするようにロック装置２３を制御する。
【００５６】
また、図９に示すように、制御装置３０は、チューブセンサ１５がＯＦＦ、すなわち、輸液チューブ１０２が輸液ポンプ１に装着されていないことが検出され、かつ、上側クランプ検出センサ２８及び下側クランプ検出センサ２９がＯＦＦであることが検出されると、可動部２３ｂを後退状態（ロック解除状態）とするようにロック装置２３を制御する。
【００５７】
そして、制御装置３０は、チューブセンサ１５がＯＦＦであることを検出した場合には、上側クランプ検出センサ２８及び下側クランプ検出センサ２９の検出結果に関わらず、ロック装置２３をロック解除状態とするように構成されている。つまり、輸液チューブ１０２が輸液ポンプ１に装着されていない場合には、輸液が行われていない状況であると推定でき、このときにはフリーフローが起こらない。この場合にドア２０のロックを解除しておくので、ドア２０の開閉動作に支障をきたさないようにすることが可能になる。
【００５８】
（実施形態の作用効果）
以上のように構成された輸液ポンプ１によれば、ドア２０を開位置にした状態で輸液チューブ１０２を本体部１０のチューブ嵌合溝１３に嵌めた後、ドア２０を閉位置すると、チューブ嵌合溝１３に嵌まった輸液チューブ１０２がドア２０の裏面によってポンプ機構１２に押し付けられる。そして、ポンプ機構１２を作動させると、輸液チューブ１０２が押圧されて輸液チューブ１０２内の薬液を所定流量で送ることができる。
【００５９】
医療従事者が何らかの理由でドア２０を開けようとした際、図８に示すように、嵌合凹部２４にローラークランプ１０５が無い場合には、ローラークランプ１０５が輸液チューブ１０２を閉塞した状態にない可能性がある。この場合、制御装置３０は、ロック装置２３をロック状態にする。これにより、開閉レバー２１を操作することができなくなるので、医療従事者はドア２０を開けることはできず、フリーフローを防止できる。このとき、特許文献１のようなフリーフロー抑止クリップは不要なので部品点数が削減される。
【００６０】
一方、図１１に示すように、嵌合凹部２４にローラークランプ１０５がある場合には、ローラークランプ１０５が輸液チューブ１０２を閉塞した状態である。この場合には、図１０に示すように、制御装置３０は、ロック装置２３をロック解除状態にする。これにより、開閉レバー２１の操作が可能になるので、医療従事者はドア２０を開けて輸液チューブ１０２を外すことができるのであるが、上述したようにローラークランプ１０５が輸液チューブ１０２を閉塞した状態にあるのでフリーフローは起こらない。
【００６１】
輸液チューブ１０２の同一箇所を長時間に亘ってポンプ機構１２によって押圧していると、輸液チューブ１０２における当該箇所の弾性が次第に失われてくる場合がある。これを回避するために、輸液チューブ１０２におけるポンプ機構１２によって押圧される部分を定期的に変えることが行われる。この実施形態では、図１１に示すように、ローラークランプ１０５がドア２０の外部に装着されるものであることから、輸液チューブ１０２は、ポンプ機構１２によって押圧される部分からドア２０の外部に延びた後、その外部において嵌合凹部２４に保持されることになる。つまり、輸液チューブ１０２におけるポンプ機構１２によって押圧される部分と、輸液チューブ１０２におけるローラークランプ１０５が配置される部分との間は、外部で延びており、輸液ポンプ１に保持されない部分、いわゆるフリーな部分となる。
【００６２】
したがって、輸液チューブ１０２におけるポンプ機構１２によって押圧される部分を定期的に変えようとする場合に、輸液チューブ１０２におけるポンプ機構１２によって押圧される部分と、輸液チューブ１０２におけるローラークランプ１０５が配置される部分との間が長くなっても、その長くなった部分はドア２０の外部でフリーな状態にしておけばよく、ローラークランプ１０５の位置をその都度変更する必要はない。よって、煩雑な作業を要することなく、フリーフローを防止できる。
【００６３】
また、ローラークランプ１０５のローラー１０５ｂが輸液チューブ１０２を閉塞する位置にあるときにのみ該ローラークランプ１０５が嵌合凹部２４に嵌合するようになっているので、ローラークランプ１０５のローラー１０５ｂが輸液チューブ１０２を閉塞しない位置にあることを使用者である医療従事者に認識させることができる。
【００６４】
また、嵌合凹部２４に嵌合したローラークランプ１０５の一部をドア２０の外面から突出させるようにしたので、ローラークランプ１０５を嵌合凹部２３から容易に外すことができる。
【００６５】
また、輸液チューブ１０２が輸液ポンプ１に装着されていないことをチューブセンサ１５によって検出した場合にはロック解除状態とするので、輸液が行われていないときにドア２０の開閉動作を自由に行うことができる。
【００６６】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００６７】
以上説明したように、本発明に係る輸液ポンプは、例えば各種薬液を患者に投与する場合に使用することができる。
【符号の説明】
【００６８】
１              輸液ポンプ
１２            ポンプ機構
１５            チューブセンサ（チューブセンサ）
２０            ドア（開閉体）
２３            ロック装置
２４            嵌合凹部（装着部）
２８            上側クランプ検出センサ（閉塞状態検出部）
２９            下側クランプ検出センサ（閉塞状態検出部）
３０            制御装置（制御部）
１０２          輸液チューブ
１０５          ローラークランプ
【図１】
2017077346.tif 000003
【図２】
2017077346.tif 000004
【図３】
2017077346.tif 000005
【図４】
2017077346.tif 000006
【図５】
2017077346.tif 000007
【図６】
2017077346.tif 000008
【図７】
2017077346.tif 000009
【図８】
2017077346.tif 000010
【図９】
2017077346.tif 000011
【図１０】
2017077346.tif 000012
【図１１】
2017077346.tif 000013